(57)【特許請求の範囲】
【請求項１】
頂板部及びスカート部から成り且つスカート部内面には容器口部と係合する突起が設けられているキャップ本体、及び該スカート部外面の周囲を覆う様に設けられたリング状部材から成る樹脂製キャップにおいて、
前記キャップ本体のスカート部には、軸線方向に延びる複数個の切欠きが周方向に間隔をおいて設けられており、
前記リング状部材は、その一部分がキャップ本体のスカート部外面に一体的に連結固定され且つ他の部分において、複数個の破断可能な橋絡部を介して前記キャップ本体に連結されていると共に、該キャップ本体と該リング状部材とは、キャップ本体とリング状部材とを一体に成形した後のカッティング加工により形成された周状切断面を介して分離しているが該切断面の部分で密着しており、
該リング状部材の下端には、径内方向に突出している可撓性のフラップ片が形成されていることを特徴とする樹脂製キャップ。
【請求項２】
前記フラップ片の先端部は、前記周状切断面よりも径内方向に突出している請求項１に記載の樹脂製キャップ。
【請求項３】
前記フラップ片は、複数個形成されている請求項１又は２に記載の樹脂製キャップ。
【発明の詳細な説明】
【０００１】
【発明の属する技術分野】
本発明は、容器口部から道具を用いずに手で容易に取り外すことが可能であり、且つタンパーエビデント性（ＴＥ性）も良好な樹脂製キャップに関する。
【０００２】
【従来の技術】
樹脂製キャップは、一体成形が可能で成形性に優れていると共に、可撓性にも優れているため、打栓操作により容器口部に固定することもでき、従来種々の形態の容器蓋として広く使用されている。
【０００３】
密封性に優れていると共に、容器口部から道具を使わずに容易に取り外すことの可能な樹脂製キャップも知られており、例えば特公昭４６−３０３５２号公報には、王冠形状のプラスチック製の栓３に、封緘用スカート４、引掛け環１及び止め輪１１が設けられている樹脂製キャップが開示されている。この樹脂製キャップにおいて、封緘用スカート４は栓３の頂板部の中央部分から下方に延びており、この封緘用スカート４が瓶口内に嵌め込まれる。また引掛け環１は、栓３のスカート部下端の一部に固定されており、且つ該スカート部の外周面を取り囲むように形成されていると共に、引掛け環１とスカート部の外周面とは、破断容易なブリッジ１５によって部分的に連結されている。この引掛け環１は、栓３の補強と栓抜きの機能を有している。更に止め輪１１は、栓３のスカート部下端の内面に設けられ、この止め輪１１には、切り込み部１３が複数箇所に形成されている。即ち、このキャップでは、引掛け環１を指で引張り上げ、更に引掛け環１が栓３に固定されている部分を引き上げると、栓３は、止め輪１１に形成されている切り込み部１３で破断が生じて折れ曲がり、瓶口から栓３を取り外すことができるというものである。
【０００４】
また特公昭５３−１７１２号公報には、環状の外壁（スカート）２を有するキャップ部材１０と、環状の外壁２を取り囲むようにして設けられたアーチ形状の帯状体５とから成るキャップが開示されている。該帯状体５は、その両端部６，６で環状の外壁２に固定されていると共に、破断可能なウエッブ（ブリッジ）８によって環状の外壁２に連結されている。即ち、このキャップは、帯状体５を指で引張り上げてウエッブ８を破断し、さらに帯状体５を引張り上げることによって、前記固定部（帯状体５の両端部）６からキャップ部材１０を持ち上げて開封を行うというものである。
【０００５】
【発明が解決しようとする課題】
上述した先行技術のキャップは、栓抜き等の道具を用いることなく手で開封を行うことができ、従来の王冠等と比較すれば開封性が顕著に優れており、特に前者のキャップは、ＴＥ性にも優れている。
然しながら、前者のキャップは、開封に際してキャップ自体を折り曲げたり或いは一部を破断したりするため、開封に際して大きな力を要し、未だ開封性において十分満足し得るものではなかった。
【０００６】
後者のキャップは、瓶等の容器の口部にしっかりと嵌合固定されたキャップ部材を、帯状体を持って引張り上げることにより、容器口部から破壊することなく取り外すため、やはり開封に際して大きな力を要し、開封性が十分でない。しかも、開封に際して、帯状体が引き千切れてしまうおそれもある。また帯状体が引き千切れなかったとしても、一度開封したキャップを再び容器口部に装着した場合、そのキャップの外観からは、開封された事実を一目で認識することができず、ＴＥ性の点でも未だ改善の余地がある。
【０００７】
従って本発明の課題は、開封の際に大きな力を必要とせず、格別の道具を用いることなく手で容易に開封を行うことができると共に、ＴＥ性も改善された樹脂製キャップを提供することにある。
【０００８】
【課題を解決するための手段】
本発明によれば、頂板部及びスカート部から成り且つスカート部内面には容器口部と係合する突起が設けられているキャップ本体、及び該スカート部外面の周囲を覆う様に設けられたリング状部材から成る樹脂製キャップにおいて、
前記キャップ本体のスカート部には、軸線方向に延びる複数個の切欠きが周方向に間隔をおいて設けられており、
前記リング状部材は、その一部分がキャップ本体のスカート部外面に一体的に連結固定され且つ他の部分において、複数個の破断可能な橋絡部を介して前記キャップ本体に連結されていると共に、該キャップ本体と該リング状部材とは、キャップ本体とリング状部材とを一体に成形した後のカッティング加工により形成された周状切断面を介して分離しているが該切断面の部分で密着しており、
該リング状部材の下端には、径内方向に突出している可撓性のフラップ片が形成されていることを特徴とする樹脂製キャップが提供される。
【０００９】
本発明のキャップでは、キャップ本体スカート部の外面を覆う様に形成されているリング状部材を有しているが、このスカート部には、軸線方向に延びる複数個の切欠きが周方向に間隔をおいて設けられている。これにより、リング状部材を持ち上げると、スカート部が径外方向に広がり、この結果としてキャップ本体を容器口部から容易に取り外すことが可能となり、開栓性が極めて良好となっている。
【００１０】
また本発明では、スカート部外面の周囲を覆う様に設けられているリング状部材は、その一部分がキャップ本体のスカート部外面に一体的に連結固定されており、他の部分では複数個の破断可能な橋絡部を介して連結されているが、キャップ本体のスカート部とリング状部材とは、周状切断面を介して分離されており且つ該切断面の部分で密着している。即ち、両者は切断面の部分で密着していることから、このキャップが容器口部に設けられている状態では、キャップ本体スカート部がリング状部材によりタガ締めされ、該スカート部が外方に広がるのが防止され、この結果として、容器口部に対する確実な密封性を確保することができる。特に、軸方向に延びている切欠きがスカート部に形成されている本発明のキャップでは、この切欠きが容器口部とスカート部の突起との係合状態を弱める様に作用する。従って、このようなリング状部材のタガ締め作用は、上記係合状態を強固で且つ確実なものとして良好な密封状態を確保する上で極めて重要な作用である。
【００１１】
また、キャップ本体スカート部外面とリング状部材内面とが、周状の切断面を介して密着しているため、打栓時において、破断し易い橋絡部に外力が集中することが有効に防止でき、打栓時における橋絡部の破断が有効に防止されるという利点もある。
【００１２】
更に本発明においては、リング状部材の下端に径内方向に突出している可撓性のフラップ片が形成されているが、このフラップ片により、優れたＴＥ性を確保することができる。
本発明のキャップの容器口部からの取り外し、即ち開封は、以下の要領で行われる。先ず、リング状部材を指で引張り上げて橋絡部を破断し、連結固定部を支点としてリング状部材を捲り上げる。この状態で、リング状部材は、連結固定部を残してキャップ本体スカート部から外れ、スカート部に作用していたタガ締め力が開放され、該スカート部は外方に広がった状態となる。従って、リング状部材を更に引張り上げることにより、キャップ本体は容易に容器口部から離脱する。そして、一度、容器口部から取り外したキャップ本体は、スカート部が外方に広がった状態となっているため、再び、容器口部に装着することができる。しかるに本発明のキャップにおいては、リング状部材の下端にフラップ片が設けられているため、一度連結固定部を支点として捲り上げられたリング状部材は、該フラップ片が邪魔をするため、再びスカート部の外周を覆うように元に戻すことが不可能となっている。即ち、一度容器口部から外されたキャップ本体を再び容器口部に戻したとしても、リング状部材は捲り上げられたままの状態となっており、一般の需要者は、一目で開封された事実を認識できるのである。
【００１３】
【発明の実施の形態】
以下、本発明を添付図面に示す具体例に基づいて詳細に説明する。
図１は、本発明の樹脂製キャップの要部を容器口部と共に拡大して示す部分拡大側断面図であり、図２は、図１のキャップの底面図であり、図３は、図１のキャップの側面を容器口部と共に示す図、図４は、本発明のキャップの開封操作を説明するための説明図であり、図５及び図６は、本発明のキャップにおけるフラップ片の機能を説明するための説明図である。
【００１４】
図１乃至図３において、本発明の樹脂製キャップは、大まかにいって、キャップ本体１と、リング状部材２とから成っている。またキャップ本体１は、頂板部（天面部）３とその外周から垂下しているスカート部４とから成っている。
【００１５】
特に図１によく示されているように、スカート部４の内面には、容器口部５の外周側の凹部６と係合する突起７が形成されており、キャップ本体１が容器口部５に確実に保持されるようになっている。また、この具体例においては、天面部３には、容器口部５の内周側と係合するインナーリング８が形成されており、容器口部５の内周側で密封が行われ、密封が行われるようになっている。
【００１６】
リング状部材２は、スカート部４の外面を覆うように設けられており、図４に明瞭に表されているように、このリング状部材２で覆われているキャップ本体１のスカート部４には、軸線方向に延びている複数個の切欠き９が周方向に間隔をおいて形成されており、スカート部４は、この切欠き９によって、多数のスカート片４ａに分割されている。キャップ本体１のスカート部４とリング状部材２とは、周状の切断面１０を介して分離していると共に、上記切断面１０よりも下側の複数個の破断可能な橋絡部１１と、破断不能な連結部（ヒンジ）１２を介して一体に形成されている。またキャップ本体スカート部４の外面とリング状部材２の内面とは、キャップ本体１が容器口部５に打栓されている状態（図１）において、前記切断面１０の部分で相互に密着している。即ち、スカート部４には、リング状部材２によるタガ締め力が作用しており、この状態でスカート部４が外方に広がるのが防止され、容器口部５の密封が確実に行われている。
【００１７】
またリング状部材２は、特に図３の側面図等に明瞭に示されているように、丁度連結部１２とは反対側に位置する部分１３の背が高くなっている。これは、後述する開栓操作を行う場合に、一般の使用者がリング状部材２を指で持ち上げる位置を明示するためである。勿論、このような部分２ａを設ける代わりに、鍔状の開封用タブを同じ部分に形成しておくこともできる。
【００１８】
かかる本発明の樹脂製キャップにおいて、開栓、即ち容器口部５からのキャップの取り外しは、次の要領で行われる。
即ち、リング状部材２の前記部分１３を指で引張り上げると、橋絡部１１が破断するため、該リング状部材２は、図４に示されている如く、連結部１２を支点として上方に捲り上げられ、スカート部４の大部分がリング状部材２の覆いから解放される。従って、このスカート部４に作用していたタガ締め力が解放されるので、リング状部材２を把持具としてキャップ本体１を上方に持ち上げることにより、或いは解放されたスカート部４を直接指で押し上げることにより、格別の道具を用いることなく、キャップ本体１を容器口部５から容易に取り除くことが可能となる。
【００１９】
本発明において、キャップ本体１のスカート部４に設けた軸線方向に延びる複数個の切欠き９は、開栓操作によりリング状部材２が取り外された時に（図４の状態）、スカート部４が径外方向に広がり、これにより、容器口部５の外周凹部６とスカート部４の内面突起７との係合が解除され、キャップ本体１の容器口部５からの取り外しを容易に行うようにするためのものであり、その設置個数や周方向間隔は、その機能が有効に発揮されるように決定される。この切欠き９の個数は、キャップの口径等によっても相違するが、一般的には、２乃至２０個、特に８乃至１２個の範囲程度が実用的であり好ましい。
【００２０】
このように、本発明のキャップにおいては、スカート部４の切欠き９は、容器口部５の外周凹部６とスカート部の突起７との係合状態を弱めるように作用するものであるが、打栓状態において、これにリング状部材２によるタガ締め力が作用することにより、係合状態を強固で且つ確実のものとすることができるのである。従って、周状切断面１０の部分でスカート部４とリング状部材２とが密着していることは、タガ締め力の作用、即ち、密封性の維持の点で極めて重要な意義を有しているものである。
【００２１】
またキャップ本体スカート部４と、リング状部材２との間に設ける橋絡部１１の数は、隣り合った切欠き９，９間のスカート片４ａとリング状部材２とが少なくとも１個の橋絡部１１を介して連結されるようにすることが好ましい。また橋絡部１１の位置も種々変化させることができ、例えばスカート片４ａの中央部に１個設けたり、或いはスカート片４ａの周方向両端部に１個ずつ（スカート片４ａ当り計２個）設けたりすることができる。要するに、打栓時において、橋絡部の破損が防止され且つ開栓時にその破断が容易に行われるものであればよく、その位置及び個数は特に制限されない。通常、橋絡部１１の切断面方向（キャップ軸方向）の断面積は、１個当り0.１乃至0.８ｍｍ2 、特に0.２乃至0.４ｍｍ2 の範囲にあることが好適である。
【００２２】
また図１の部分拡大側断面図に特に明瞭に示されている様に、本発明においては、リング状部材２の下端部に、先端が径内方向に突出している可撓性のフラップ片２０を設けることが重要である。このようなフラップ片２０を設けることにより、優れたＴＥ性を付与することができる。
【００２３】
即ち、図４にも示されている様に、本発明のキャップを容器口部５から取り外した時には、リング状部材２が連結部１２を支点として捲り上げられた状態となっており、スカート部４の大部分が剥き出しの状態になっている。従って、図４の状態のキャップを、再び容器口部５に装着し、且つ捲り上げられているリング状部材２を元の状態に復帰させたとすると、一般の使用者には、その外観からは、そのキャップが一度開封されたものであることが一目で判断しずらい場合がある。
【００２４】
しかるに本発明によれば、上述したフラップ片２０を設けることにより、捲り上げられたリング状部材２を元の状態に復帰させることができなくなっているため、優れたＴＥ性を有しているのである。
即ち、フラップ片２０の機能を示す図５及び６において、捲り上げられたリング状部材２を元の状態に復帰させようとすると、リング状部材２に設けられているフラップ片２０が、キャップ本体１の肩部３０に当接し（図５）、或いはキャップ本体１のスカート部４に引っ掛かり（図６）、該リング状部材２をそれ以上押し下げることが不可能となっている。従って、一度取り外されたキャップを再び容器口部５に装着した場合には、リング状部材２が捲り上げられた状態となっているため、一般の使用者は、一目で開封の事実を知ることができる。
【００２５】
本発明においては、上述したフラップ片２０の機能を有効に発現させるためには、例えば図５に示す様に、キャップ本体１の肩部３０（スカート部４と天面３との連結部分）に水平段差部３１を設けることが好ましい。これにより、フラップ片２０の先端が水平段差部３１に引っ掛かるようになり、リング状部材２の復帰を有効に防止できる。
また、フラップ片２０は、特に打栓状態において（図１参照）周状切断面１０よりも少なくとも内方に突出しているべきである。このようにすれば、図６に示されているように、フラップ片２０が必ずスカート部４の外面で引っ掛かり、それ以上の押し込みが不可能となる。
【００２６】
また図２の底面図によく表されている様に、図１乃至３に示す態様のキャップでは、複数個のフラップ片２０が間隔をおいて対称な位置に形成されているが、この数や隣合うフラップ片２０の間隔等は、捲り上げられたリング状部材２の復帰を有効に防止することができる限り任意に設定できる。例えば、図２の断面でみて、個々のフラップ片２０の長さを大きくしたり、或いは長さの小さなフラップ片２０を多数設けたり、連結部１２以外の部分の全体にわたって連なるアーチ状のフラップ片２０を形成しておくこともできる。一般的には、フラップ片２０の周方向長さの合計が、リング状部材２の内周に対して５０％以上となるように設定しておくことが好ましい。
【００２７】
本発明において、上述したキャップの成形に用いる樹脂としては、各種プラスチック、例えば、低−，中−又は高−密度ポリエチレン、線状低密度ポリエチレン、ポリプロピレン、熱可塑性ポリエステル、ポリアミド、スチレン系樹脂、ＡＢＳ樹脂等が一般に使用される。またキャップ本体とは別個にライナーを施すこともでき、このようなライナーとしては、低密度ポリエチレン、エチレン系重合体、各種ゴム乃至熱可塑性エラストマー、アクリル樹脂プラスチゾル、塩化ビニル樹脂プラスチゾル等を用いることができる。
【００２８】
本発明の樹脂製キャップは、上記の樹脂を使用し、射出成形、圧縮成形等の一体成形により、キャップ本体１及びリング状部材２を一体化した状態で成形し、次いで後加工を行うことにより製造することができる。この後加工は、例えばカッティング加工であり、一体成形後、キャップ本体１のスカート部４とリング状部材２との間にカッター等で切り込みを入れ、橋絡部１１及び連結部１２を除く部分を分離させることにより、周状切断面１０が形成され、この部分でスカート部４の外面とリング状部材２の内面とを密着させることができる。
【００２９】
このように、本発明の樹脂製キャップは、通常のコアとキャビティとから成る金型を用いて、能率よく短時間で製造でき、またキャップ各部の精度も高く、不良品の発生も少ないという利点を有している。
【００３０】
【発明の効果】
本発明の樹脂製キャップは、キャップ本体スカート部の外面を覆う様に設けられているリング状部材の下端にフラップ片を形成したことにより、一旦開封されキャップ本体上に捲り上げられたリング状部材を、元の位置に復帰させることができない構造となっている。従って、一度開封されたキャップ本体を容器口部に再度装着した場合には、リング状部材が捲り上げられた状態となっており、一目で開封の事実を認識することができ、ＴＥ性に極めて優れている。
また打栓に際しては、リング状部材がキャップ本体スカート部を保護し、閉栓状態では、リング状部材がスカート部外面を密着して密封性を保持し、更にスカート部に軸線方向に延びる切欠きを形成したことにより、リング状部材を捲り上げると、キャップ本体のスカート部を格別の道具を用いることなく、容器口部から容易に取り外すことができ、密封性や開栓性にも優れている。
【図面の簡単な説明】
【図１】  本発明の樹脂製キャップの要部を容器口部と共に拡大して示す部分拡大側断面図である。
【図２】  図１のキャップの底面図である。
【図３】図１のキャップの側面図である。
【図４】本発明のキャップの開封操作を説明するための説明図である。
【図５】本発明のキャップにおけるフラップ片の機能を説明するための説明図である。
【図６】本発明のキャップにおけるフラップ片の機能の他の例を説明するための説明図である。
【符号の説明】
１：キャップ本体        ２：リング状部材        ３：天面
４：スカート部        ４ａ：スカート片          ５：容器口部
９：切欠き            １０：周状切断面        １１：橋絡部
１２：連結部（ヒンジ）  ２０：フラップ片        ３１：水平段差部
【図１】
0003754753.tif 000002
【図２】
0003754753.tif 000003
【図３】
0003754753.tif 000004
【図４】
0003754753.tif 000005
【図５】
0003754753.tif 000006
【図６】
0003754753.tif 000007